(57)【特許請求の範囲】
【請求項１】
受信された放送情報を表示手段に表示する情報表示方法において、
予め格納手段に複数のアニメーションデータを格納する格納ステップと、
受信された上記放送情報と関連する関連アニメーションデータを選択するアニメーションデータ選択ステップと、
上記関連アニメーションデータを上記格納手段から読み出す読出ステップと、
上記放送情報が上記表示手段に表示されるまでの表示準備期間において上記関連アニメーションデータから生成された連続アニメーション画像を当該表示手段に表示制御する表示制御ステップと
を具える情報表示方法。
【請求項２】
上記アニメーションは複数の当該アニメーションのなかからランダムに選択される
請求項１に記載の情報表示方法。
【請求項３】
上記放送情報の上記表示準備期間は、視聴者による上記放送情報の表示指定操作に基づいて開始される
請求項１に記載の情報表示方法。
【請求項４】
受信された放送情報を表示手段に表示する情報表示装置において、
複数のアニメーションデータを予め格納する格納手段と、
受信された上記放送情報と関連する関連アニメーションデータを選択するアニメーションデータ選択手段と、
上記関連アニメーションデータを上記格納手段から読み出す読出手段と、
上記放送情報が上記表示手段に表示されるまでの表示準備期間において上記関連アニメーションデータから生成された連続アニメーション画像を当該表示手段に表示制御する表示制御手段と
を具える情報表示装置。
【請求項５】
上記格納手段は、複数の上記アニメーションデータを格納し、上記アニメーション表示制御手段は複数の上記アニメーションデータのなかからランダムに選択した上記アニメーションデータを表示する
請求項４に記載の情報表示装置。
【請求項６】
上記情報表示装置は、視聴者による表示指定操作に基づいて上記放送情報の表示準備を開始する放送情報表示制御手段
を具える請求項４に記載の情報表示装置。
【発明の詳細な説明】
【０００１】
【発明の属する技術分野】
本発明は情報表示方法及び情報表示装置に関し、所望の情報を表示画面に表示する際の待ち時間に所定の情報を表示画面に表示する情報表示方法及び情報表示装置に適用して好適なものである。
【０００２】
【従来の技術】
従来、ディジタル衛星放送においては、送信装置によって複数の番組の映像データ及び音声データをそれぞれＭＰＥＧ２(Motion Picture Experts Group ２）の規格に従ってエンコードした後、当該エンコードされたデータを多重化して送信し、これを衛星を介して地上に設けられた受信装置（以下これをＩＲＤ(Integrated Receiver Decoder) と呼ぶ）に配信するようになされている。
【０００３】
ＩＲＤは、複数の番組のなかから視聴者が番組選択キーを操作することにより指定した番組を選び、当該番組の映像データ及び音声データを復号してモニタに出力する。
【０００４】
複数の番組を配信するディジタル衛星放送では、各番組の映像データ及び音声データに加えて、番組ガイド情報（以下これをＥＰＧ(Electronic Program Guide)データと呼ぶ）と呼ばれる各番組の説明データを定期的に配信するようになされている。このＥＰＧデータは、各番組の放送予定日時情報、放送内容情報等、視聴者が視聴を決定するための種々の判断材料を含んでいる。特に、放送内容情報は番組内容の要約を簡単な文章によってまとめたものであり、視聴者は当該放送内容情報を見ることによってその情報によって説明された番組を視聴するか否かを容易に判断することができる。
【０００５】
【発明が解決しようとする課題】
ところで、ＩＲＤは各番組の映像データ及び音声データと共に配信されるＥＰＧデータをメモリに蓄えておき、視聴者が操作キーを操作することによりＥＰＧデータの表示を指定すると、ＩＲＤはこれに応じて、メモリからＥＰＧデータを読み出してモニタに表示するようになされている。
【０００６】
ところが、ＩＲＤは視聴者が指定した番組のＥＰＧデータをメモリから読み出してモニタに表示する際に最大で約４０秒程度の処理時間を要し、ＩＲＤはこの間にモニタの表示画面に「データ取り込み中」といった静止した簡単な文字を表示するだけであり、視聴者はＥＰＧデータの取り込み中において処理が正確に行われているか否かを判断することが困難であり、さらにはモニタ上に簡単な文章を表示するだけでは視聴者を飽きさせることになり、視聴者の興味を喚起させる点において未だ不十分であった。
【０００７】
本発明は以上の点を考慮してなされたもので、視聴者の操作に対する応答時間において視聴者の興味をひくことができる情報表示方法及び情報表示装置を提案しようとするものである。
【０００８】
【課題を解決するための手段】
かかる課題を解決するため本発明においては、受信された放送情報を表示手段に表示する際に、受信された放送情報が表示手段に表示されるまでの表示準備期間において連続アニメーション画像を表示することにより、視聴者を飽きさせることなく放送情報の表示準備を行うことができる。
【０００９】
【発明の実施の形態】
以下図面について、本発明の一実施の形態を詳述する。
【００１０】
図１において１は全体としてディジタル衛星放送システムを示し、送信装置１Ａは複数の番組の映像データ及び音声データをそれぞれＭＰＥＧ２(Motion Picture Experts Group ２）の規格に従ってエンコードした後、当該エンコードされたデータを多重化し送信アンテナ１Ｂを介して送信する。
【００１１】
衛星１Ｃは送信装置１Ａから送信された放送波を中継して、地上に設けられた受信装置（ＩＲＤ) ３に配信する。
【００１２】
ＩＲＤ３は、複数の番組のなかから視聴者がリモートコマンダ５の番組選択キーを操作することにより指定した番組を選び、当該番組の映像データ及び音声データを復号してモニタ１００に出力する。
【００１３】
ＩＲＤ３は、図２に示すようにリモートコマンダ５（図１）から赤外線に重畳されて送信される命令信号Ｓ５０をリモートコマンダ信号受信部２５において受信し、これを電気信号に変換することにより命令信号Ｓ５１を生成しフロントパネルマイコン６１を介してＣＰＵ(Central Processing Unit) ６２に送出する。
【００１４】
ＣＰＵ６２は、ＥＥＰＲＯＭ(Electrically Erasable Read Only Memory)６４に格納されているプログラムに従って電源立ち上げ時に所定のＯＳ(Operating System)を軌道してＩＲＤ３全体の動作を制御するようになされており、受信した命令信号Ｓ５１を解析してリモートコマンダ５からの命令を認識すると、不揮発性のフラッシュメモリ６３から所定のプログラムを読み出し、当該プログラムに応じてリモートコマンダ５からの命令に応じた処理を実行する。
【００１５】
例えば、視聴者によってリモートコマンダ５の番組選択キーが操作されると、ＣＰＵ６２はこれに応じたチャンネル選択信号Ｓ５２を受信復調手段としてのチューナ６６に送出する。チューナ６６は、チャンネル選択信号Ｓ５２に応じたチャンネルを含む帯域の放送波Ｓ５３をＱＰＳＫ(Quadrature Phase Shift Keying) 復調回路６７に送出する。
【００１６】
ＱＰＳＫ復調回路６７は、放送波Ｓ５３をＱＰＳＫ復調することにより受信データストリームＳ５４を生成し、これをエラー訂正回路６８に送出する。エラー訂正回路６８は、受信データストリームＳ５４に対して所定の誤り訂正処理を施した後、これを受信データストリームＳ５５としてデスクランブラ６９に送出する。
【００１７】
ＩＲＤ３は、ＩＣカード差し込み部に差し込まれたＩＣカード７０に格納されている契約チャンネルの暗号キー情報Ｓ５６をＩＣカードインターフェース７１を介して読み取り、当該暗号キー情報Ｓ５６をデスクランブラ６９に送出する。
【００１８】
デスクランブラ６９は、暗号キー情報Ｓ５６に基づいて受信データストリームＳ５５のうち契約チャンネルの多重化データＳ５７を取り出してデマルチプレクサ７２に送出する。
【００１９】
デマルチプレクサ７２は、多重化データＳ５７を一旦ＤＲＡＭ(Dynamic Random Access Memoty)７３に格納し、当該ＤＲＡＭ７３上で多重化データＳ５７を各チャンネル毎に並び換え、視聴者によって指定されたチャンネルの番組データを取り出し、その番組データのデータストリームＳ５８をＭＰＥＧ(Moving Picture Experts Group)ビデオデコーダ７４に送出する。
【００２０】
ＭＰＥＧビデオデコーダ７４は、データストリームＳ５８のうち映像部分のパケットからなるビデオストリームをデコードすることにより圧縮符号化前のビデオデータＳ５９を復元し、これをＮＴＳＣ(National Television System Committee)エンコーダ７６に送出すると共に、データストリームＳ５８のうち音声部分のパケットからなるオーディオストリームをデコードすることにより、圧縮符号化前のオーディオデータＳ６０を復元し、これをディジタル／アナログコンバータ７７に送出する。
【００２１】
ＮＴＳＣエンコーダ７６は、ビデオデータＳ５９をＮＴＳＣ方式の輝度信号及び色差信号に変換すると共にディジタルアナログ変換処理することによりアナログ信号でなるビデオ信号Ｓ６１を得、これをモニタ１００（図１）に送出する。かくしてモニタ１００の表示画面１００Ａ（図１）には、視聴者が選択した番組の映像が表示される。
【００２２】
また、ディジタル／アナログコンバータ７７は、オーディオデータＳ６０をアナログ信号に変換することによりオーディオ信号Ｓ６２を生成し、これをモニタ１００のスピーカ（図示せず）に送出する。かくしてモニタ１００のスピーカから、視聴者が選択した番組の音声が出力される。
【００２３】
なお、ＩＲＤ３は外部機器制御マイコン７８によってビデオテープレコーダ等の外部機器（図示せず）を制御するようになされており、視聴者によって選局された番組を外部機器において録画することができる。
【００２４】
また、ＣＰＵ６２は視聴者が視聴した番組の課金情報等を、モデム７９を介して情報収集センタ等に送信する。
【００２５】
ここで、複数の番組を配信するディジタル衛星放送では、各番組の映像データ及び音声データに加えて、番組ガイド情報（ＥＰＧ(Electronic Program Guide)データ）と呼ばれる各番組の説明データを定期的に配信するようになされている。このＥＰＧデータは、各番組の放送予定日時情報、放送内容情報等、視聴者が視聴を決定するための種々の判断材料を含んでいる。特に、放送内容情報は番組内容の要約を簡単な文章によってまとめたものであり、視聴者は当該放送内容情報を見ることによってその情報によって説明された番組を視聴するか否かを容易に判断することができる。
【００２６】
このＥＰＧデータは、ＩＲＤ３において受信されると、多重化データＳ５７としてＤＲＡＭ７３に一旦格納される。そして、視聴者がリモートコマンダ５の番組ガイド情報選択キーを操作すると、リモートコマンダ５はＥＰＧ画面を表示するための命令信号Ｓ５０をリモートコマンダ信号受信部２５に送信する。
【００２７】
リモートコマンダ信号受信部２５は、命令信号Ｓ５１をフロントパネルマイコン６１を介して認識手段としてのＣＰＵ６２に送出する。ＣＰＵ６２は、命令信号Ｓ５１を解析してＥＰＧ画面の生成を指示するＯＳＤ(On Screen Display) 生成指示信号Ｓ７１を生成し、これを図３に示すデマルチプレクサ７２及びＭＰＥＧデコーダ７４のホストインターフェース７４Ａに送出する。
【００２８】
ＭＰＥＧデコーダ７４のホストインターフェース７４Ａはマイクロコンピュータを有しており、ＯＳＤ生成指示信号Ｓ７１に基づいてオーディオデコーダ７４Ｂ、ビデオデコーダ７４Ｃ、グラフィックスユニット７４Ｄ、ＳＤＲＡＭアクセスユニット７４Ｅ及びミキサ７４Ｆを制御し、番組映像に重ねてＥＰＧ画面を表示するための処理を実行するようになされている。
【００２９】
デマルチプレクサ７２はＤＲＡＭ７３に格納された多重化データＳ５７を各チャンネル毎に並び換え、視聴者に指定されたチャンネルの番組のデータストリームＳ５８のうちビデオストリームＳ５８ＡをＭＰＥＧビデオデコーダ７４のビデオデコーダ７４Ｃに送出すると共に、オーディオストリームＳ５８Ｂをオーディオデコーダ７４Ｂに送出する。
【００３０】
また、デマルチプレクサ７２は、ＯＳＤ生成指示信号Ｓ７１に基づいて記憶手段としてのＤＲＡＭ７３に格納した多重化データＳ５７のうちＥＰＧ画面を構成するパケットからなるＥＰＧデータストリームＳ７２を読み出し、これをＭＰＥＧデコーダ７４のグラフィックスユニット７４Ｄに送出する。
【００３１】
グラフィックスユニット７４Ｄは、ＳＤＲＡＭアクセスユニット７４Ｅを介してＥＰＧデータストリームＳ７２をＳＤＲＡＭ(Synchronous Dynamic Random Access Memory)７５に送出し、当該ＳＤＲＡＭ７５上でＥＰＧデータストリームＳ７２に対して所定のグラフィックス処理を施す。
【００３２】
表示制御手段としてのミキサ７４Ｅは、ＳＤＲＡＭ７５上でＥＰＧデータストリームＳ７２に対してグラフィックス処理を施す場合、ＥＰＧ画面を形成する枠のサイズ及び画面上の配置を決定し、画面の所定部分をクリッピングして所定形状に整えた後、ＥＰＧ画面の色を決定するクロマ信号に対して所定の変換処理を施してＥＰＧ画面データＳ７３を生成する。
【００３３】
ＳＤＲＡＭ７５は、グラフィックス処理が施されて生成されＥＰＧ画面データＳ７３をＳＤＲＡＭアクセスユニット７４Ｅを介してグラフィックスユニット７４Ｄに送出する。グラフィックスユニット７４Ｄは、ＥＰＧ画面データＳ７３をミキサ７４Ｅに送出する。また、ビデオデコーダ７４Ｃは、ビデオストリームＳ５８Ａをデコードすることにより生成したビデオデータＳ５９をミキサ７４Ｅに送出する。
【００３４】
ミキサ７４Ｅは、ＥＰＧ画面データＳ７３とビデオデータＳ５９とを混合して出力する。
【００３５】
かくして視聴者がリモートコマンダ５の番組ガイド情報選択キーを操作することにより番組ガイト情報の表示を指定すると、ＩＲＤ３のＣＰＵ６２は当該命令に応じてモニタ１００の表示画面１００ＡにＥＰＧデータによる番組ガイド情報を表示する。
【００３６】
ここで、ＩＲＤ３において番組の映像及び音声データと共に受信されるＥＰＧデータは、図４に示すように、チャンネル番号Ｄ１１及びチャンネルロゴのデータＤ１２を有するチャンネルデータＤ１０の下に、番組名データＤ２１、放送日データＤ２２、番組開始時刻データＤ２３、番組終了時刻データＤ２４、カテゴリデータＤ２５及び放送内容データＤ２６の各データを有する番組データＤ２０が、番組開始時刻順に配列された階層構造を有する。
【００３７】
そして、視聴者がリモートコマンダ５の番組カイド情報選択キーを操作することにより、ＩＲＤ３のＣＰＵ６２は、図５に示すＥＰＧ画面の表示処理手順を実行する。すなわち図５においてＣＰＵ６２はＥＰＧ画面の表示処理手順ＲＴ１に入ると、ステップＳＰ１において視聴者が番組ガイド選択キーを操作することに応じて発行される命令信号を受けると、続くステップＳＰ２に移ってＤＲＡＭ７３からＥＰＧデータを読み出してモニタ１００の表示画面１００Ａにこれを表示する。
【００３８】
このステップＳＰ２においてＤＲＡＭ７３から読み出されるＥＰＧデータは、図４について上述した番組データＤ２０のなかの、番組名データＤ２１、放送日データＤ２２、番組開始時刻データＤ２３、番組終了時刻データＤ２４及びカテゴリデータＤ２５のみである。
【００３９】
従って、モニタ１００の表示画面１００Ａには、図６に示すように、日時欄１１１によって表示された各日時に放送予定である番組の番組名が各チャンネルごとに設けられたチャンネル表示欄１１２に順次表示される。
【００４０】
このようにして、表示画面１００Ａに１週間分の番組ガイド情報１１０が表示されると、視聴者は所望とする番組名をクリックすることにより、ＣＰＵ６２は当該選択された番組の詳細な放送予定を選択番組表示欄１１３に表示する。
【００４１】
そしてさらに視聴者が当該選択番組表示欄１１３をクリックすることにより、ＣＰＵ６２は、図４について上述したＥＰＧデータのなかから、視聴者によって選択された番組の番組データＤ２０のなかから、放送内容データＤ２０の読み出しを開始する。このとき、ＣＰＵ６２は放送内容データＤ２０の読み出し時間を利用して、ＲＯＭ６５（図２）に予め格納されているアニメーションデータを読み出し、これを表示画面１００Ａの所定表示欄に表示する。この場合、ＲＯＭ６５に格納されている数十〜数百枚程度のカットからなるアニメーションデータを１種類のアニメーションデータとして、ＣＰＵ６２は当該１種類のアニメーションデータを構成する各カットをアニメーションタイマ８０を用いて順次モニタ１００の表示画面１００Ａに表示することにより、表示画面１００Ａには各カットが連続した動くアニメーションが表示される。
【００４２】
ここで、ＲＡＭ６５には各カテゴリに対応してそれぞれ複数のアニメーションデータが格納されている。この場合、１つのアニメーションデータとは、静止した１カットの画を複数枚に亘って順次表示することにより動きのある画を表現する際の複数枚に亘った一連の画データである。そして、視聴者が番組ガイド情報として読出し指定した番組のカテゴリに対応した複数のアニメーションデータのなかから、ランダムに１つを選択し、これを表示画面１００Ａに表示するようになされている。
【００４３】
例えば、図６に示すように、視聴者が番組名「ゴルフトーナメント」を指定すると、ＣＰＵ６２は当該番組のカテゴリである「スポーツ」に対応してＲＯＭ６５に格納されている複数のアニメーションデータのなかからランダムに１つを選択し、これを表示画面１００Ａに表示する。
【００４４】
かくしてモニタ１００の表示画面１００Ａには、図７〜図１４に示すように番組ガイド情報１２０として、選択されたチャンネルを表すチャンネル表示欄１２１及び選択された番組の放送日時を表す選択番組表示欄１２２と共に放送内容表示欄１２３が表示され、当該放送内容表示欄１２３に表示されるべき放送内容データがＤＲＡＭ７３から読み出されるまでの待ち時間を利用してＲＯＭ６５から読み出された動くアニメーション画１２５が表示される。そして、放送内容表示欄１２３には動くアニメーション画１２５と共に放送内容データを取り込み中である旨を文章１２４によって表示する。
【００４５】
かくして表示画面１００Ａを見る視聴者は、放送内容表示欄１２３に表示される文章１２４によってシステムがデータ取り込み中であることを認識し得ると同時に、動くアニメーション画１２５によってシステムの処理が続行していることを確認することができる。
【００４６】
このようにして、放送内容データの取り込み中におけるアニメーション画１２５の表示が行われると、ＣＰＵ６２は図５に示すステップＳＰ３においてＥＰＧデータ（放送内容データ）の読み出しが完了したか否かを判断し、肯定結果が得られるまで当該処理ステップＳＰ３を繰り返す。
【００４７】
ステップＳＰ３において肯定結果が得られると、このことはＤＲＡＭ７３から放送内容データの読み出しが完了したことを表しており、このときＣＰＵ６２はステップＳＰ４に移って、アニメーション画１２５の表示を終了し、これに変えて放送内容データを表示画面１００Ａに表示する。
【００４８】
かくして図１５に示すように、表示画面１００Ａには放送内容表示欄１２３に視聴者が番組ガイド情報として選択した番組の詳細な説明が表示され、ＣＰＵ６２はステップＳＰ５に移って当該処理手順を終了する。
【００４９】
かくして、視聴者は番組ガイド情報の放送内容データが表示画面１００Ａに表示されるまでの待ち時間において、放送内容表示欄１２３に表示される動くアニメーション画１２５を見ることにより、飽きることなく放送内容データが表示されるのを待つことができる。
【００５０】
以上の構成において、視聴者が番組ガイド情報（図６）に表示された番組名のなかから所望の番組を選択する毎に、ＤＲＡＭ７３からの放送内容データの読み出しが行われ、当該読み出しに要する処理時間においてＲＯＭ６５からアニメーションが読み出されてモニタ１００の表示画面１００Ａに表示される。
【００５１】
この場合、ＲＯＭ６５にはカテゴリごとに複数のアニメーションを格納しており、視聴者の指定がある毎に複数のアニメーションのなかから１つをランダムに選択して表示する。
【００５２】
これにより、視聴者が同一カテゴリの番組を続けて指定しても、その都度異なるアニメーションが表示画面１００Ａに表示されることになり、当該アニメーションを見る視聴者は、飽きることなく放送内容データの表示を待つことができる。また、ＣＰＵ６２によってランダムに選択されるアニメーションは視聴者が選択した番組のカテゴリに対応したアニメーションであることにより、表示画面１００Ａには視聴者の興味に関連したアニメーションが表示される。かくしてＣＰＵ６２は、一段と視聴者の興味をひきながら放送内容データの表示準備を行うことができる。
【００５３】
また、ＣＰＵ６２は視聴者が選択した番組のカテゴリに関連付けられるアニメーションを表示することにより、視聴者は選択された番組のカテゴリをアニメーションによって確認することができる。
【００５４】
以上の構成によれば、視聴者が番組ガイド情報において所望の番組の放送内容データの表示を指定する毎に、当該指定に応答して放送内容データの表示を準備する期間に動くアニメーションを表示するようにしたことにより、視聴者を飽きさせることなく放送内容データの表示準備を行うことができる。
【００５５】
なお上述の実施の形態においては、複数のアニメーションのなかからランダムに選択したアニメーションを表示する場合について述べたが、本発明はこれに限らず、特定の動くアニメーションのラストシーンを複数用意しておき、当該ラストシーンのみを変更するようにしても良い。
【００５６】
また上述の実施の形態においては、スポーツのカテゴリに対応したアニメーション１２５を表示する場合について述べたが、本発明はこれに限らず、他のカテゴリとして例えばドラマ、映画、教育等に対応したアニメーションを表示することができる。この場合、カテゴリに対応して放送内容表示欄１２３の表示枠の形状を変えるようにしても良い。例えば、映画のカテゴリに対応したアニメーションを表示する場合、映画フィルムを表現する枠の中にアニメーションを表示するようにしても良い。
【００５７】
また上述の実施の形態においては、カテゴリに対応した複数のアニメーションを用意し、指定されたカテゴリに対応したアニメーションを表示する場合について述べたが、本発明はこれに限らず、視聴者が当該番組ガイド情報を見ている時間又は日付に対応して、これらを特徴付けるアニメーションを表示するようにしても良い。例えば、朝、昼、夜に対応した空模様のアニメーションを表示したり、又は日付に対応した季節や祝日のイメージを表現したアニメーションを表示するようにしても良い。また、視聴者が番組ガイド情報を見ている時間又は日付に変えて、指定した番組が放送される時間に対応したアニメーションを表示するようにしても良い。
【００５８】
また上述の実施の形態においては、視聴者が指定した番組のカテゴリに対応したアニメーションを表示する場合について述べたが、本発明はこれに限らず、カテゴリとは無関係のアニメーションを表示するようにしても良い。例えば、視聴者が番組ガイド情報を見ている日の運勢を表示したり、「おみくじ」の箱が回転し所定時間後に「おみくじ」が出てくるといったアニメーションを表示したり、「じゃんけん」をアニメーションで表示したり、クイズを表示しその答えを所定時間後に表示する等、種々の表示内容を適用することができる。
【００５９】
また上述の実施の形態においては、番組ガイド情報を表示する待ち時間にアニメーションを表示する場合について述べたが、本発明はこれに限らず、番組とは異なる他の種々の情報を表示する際の待ち時間にアニメーションを表示する場合に広く適用することができる。
【００６０】
また上述の実施の形態においては、本発明をディジタル衛星放送システムの受信装置において受信した情報を表示する場合について述べたが、本発明はこれに限らず、地上波放送又は有線放送によって配信される情報を表示する場合に広く適用することができる。
【００６１】
【発明の効果】
上述のように本発明によれば、受信された放送情報を表示手段に表示する情報表示装置において、複数のアニメーションデータを予め格納する格納手段と、受信された上記放送情報と関連する関連アニメーションデータを選択するアニメーションデータ選択手段と、関連アニメーションデータを格納手段から読み出す読出手段と、放送情報が表示手段に表示されるまでの表示準備期間において関連アニメーションデータから生成された連続アニメーション画像を当該表示手段に表示制御する表示制御手段とを設けることにより、放送情報を受信して表示するまでの準備期間に関連するアニメーションを表示できるので、視聴者を飽きさせることなく準備期間を有効に使うことができ、かくして視聴者を飽きさせることなく準備期間を有効に使い得る情報表示装置を実現できる。
【図面の簡単な説明】
【図１】本発明による情報表示装置を有するディジタル放送システムを示すブロック図である。
【図２】本発明による情報表示装置の一実施の形態を示すブロック図である。
【図３】ＭＰＥＧデコーダの構成を示すブロック図である。
【図４】番組情報の構成を示す略線図である。
【図５】ＥＰＧ画面の表示処理手順を示すフローチャートである。
【図６】ＥＰＧ画面の表示例を示す略線図である。
【図７】ＥＰＧ画面に表示されたアニメーションを示す略線図である。
【図８】ＥＰＧ画面に表示されたアニメーションを示す略線図である。
【図９】ＥＰＧ画面に表示されたアニメーションを示す略線図である。
【図１０】ＥＰＧ画面に表示されたアニメーションを示す略線図である。
【図１１】ＥＰＧ画面に表示されたアニメーションを示す略線図である。
【図１２】ＥＰＧ画面に表示されたアニメーションを示す略線図である。
【図１３】ＥＰＧ画面に表示されたアニメーションを示す略線図である。
【図１４】ＥＰＧ画面に表示されたアニメーションを示す略線図である。
【図１５】放送内容データが表示されたＥＰＧ画面を示す略線図である。
【符号の説明】
１……ディジタル衛星放送システム、１Ａ……送信装置、１Ｃ……衛星、３……ＩＲＤ、５……リモートコマンダ、２５……リモートコマンダ信号受信部、６２……ＣＰＵ、６５……ＲＯＭ、７２……デマルチプレクサ、７３……ＤＲＡＭ、７４……ＭＰＥＧデコーダ、７５……ＳＤＲＡＭ、７６……ＮＴＳＣエンコーダ、１１０、１２０……番組ガイド情報、１２３……放送内容表示欄、１２５……アニメーション。
【図１】
0004332762.tif 000002
【図２】
0004332762.tif 000003
【図３】
0004332762.tif 000004
【図４】
0004332762.tif 000005
【図５】
0004332762.tif 000006
【図６】
0004332762.tif 000007
【図７】
0004332762.tif 000008
【図８】
0004332762.tif 000009
【図９】
0004332762.tif 000010
【図１０】
0004332762.tif 000011
【図１１】
0004332762.tif 000012
【図１２】
0004332762.tif 000013
【図１３】
0004332762.tif 000014
【図１４】
0004332762.tif 000015
【図１５】
0004332762.tif 000016